(57)【特許請求の範囲】
【請求項１】
ボックス本体に開閉自在に取り付けられた回収物を取り出す回収部扉と、該回収部扉に形成された回収物の投入口を開閉する投入部扉とを具備してなる回収ボックスであって、前記ボックス本体に前記回収部扉及び投入部扉を双方共にロックする錠前機構を有し、前記錠前機構は、前記ボックス本体に回収部扉をロックし、前記回収部扉に投入部扉をロックする錠前をそれぞれ有し、前記投入部扉の錠前を操作することで、前記回収部扉の錠前を規制して双方の扉をロックするものであり、前記回収部扉の錠前は、回収部扉の内側に１以上の爪を有するラッチ板をスライド可能に設けると共に、前記１以上の爪を掛けるラッチガードを前記ボックス本体に設けてなり、前記投入部扉の錠前は、前記回収部扉の内側にロックプレートを回動可能に設けると共に、前記ロックプレートを掛けるロックハンガーを前記投入部扉に設けてなり、前記ロックプレートを回動させ前記ロックハンガーに掛けて前記投入部扉をロックした時、前記ロックプレートが前記ラッチ板の端に当たり、前記ラッチ板のスライドを規制して前記回収部扉をロックすることを特徴とする回収ボックス。
【発明の詳細な説明】
【０００１】
【発明の属する技術分野】
本発明は、廃品の選別回収やゴミを入れ、不使用時に鍵を掛け、いたずらや不信物の投入を防ぐことができる回収ボックスに関する。
【０００２】
【従来の技術】
従来の回収ボックスは、缶・瓶、新聞・雑誌、一般ゴミなどに分かれ、それぞれ前面、側面、裏面に回収ボックス内の回収物を取り出す回収部扉が、上面に又は、前面、側面、裏面の前記回収部扉とは別途の位置に回収物の投入口が設けられている。そして、この回収部扉には通常錠前が設けられロックされている。
しかしながら、屋外設置の回収ボックスでは、いたずらや不信物の投入を防ぐ目的で、投入部扉にも錠前が回収部扉とは別に設けられ、休日や夜間など不使用時に投入部扉もロックできるようになっている。
【０００３】
【発明が解決しようとする課題】
しかしながら、上記従来の回収ボックスでは、投入部扉と回収部扉とに錠前が別々に設けられているため、回収ボックスが使用される時間帯が終了し、作業員が最後の回収物の回収と共に、物を投入できないように投入部扉をロックするには、投入部扉と回収部扉との錠前を別々にロックしなければならない。従って、回収ボックスが比較的多い公共的な施設では、その作業がばかにならず、作業員により多くの作業をさせることになる。
【０００４】
従って、本発明が解決すべき課題は、全体的に構造が簡単でありながら、投入部扉と回収部扉とに設けられた錠前の一方を操作することで、双方の扉をロックできる回収ボックスを提供することにある。
【０００５】
【課題を解決するための手段】
かかる実情において、本発明者は鋭意検討を行った結果、本発明を完成した。すなわち、請求項１の発明は、ボックス本体に開閉自在に取り付けられた回収物を取り出す回収部扉と、該回収部扉に形成された回収物の投入口を開閉する投入部扉とを具備してなる回収ボックスであって、前記ボックス本体に前記回収部扉及び投入部扉を双方共にロックする錠前機構を有し、前記錠前機構は、前記ボックス本体に回収部扉をロックし、前記回収部扉に投入部扉をロックする錠前をそれぞれ有し、前記投入部扉の錠前を操作することで、前記回収部扉の錠前を規制して双方の扉をロックするものであり、前記回収部扉の錠前は、回収部扉の内側に１以上の爪を有するラッチ板をスライド可能に設けると共に、前記１以上の爪を掛けるラッチガードを前記ボックス本体に設けてなり、前記投入部扉の錠前は、前記回収部扉の内側にロックプレートを回動可能に設けると共に、前記ロックプレートを掛けるロックハンガーを前記投入部扉に設けてなり、前記ロックプレートを回動させ前記ロックハンガーに掛けて前記投入部扉をロックした時、前記ロックプレートが前記ラッチ板の端に当たり、前記ラッチ板のスライドを規制して前記回収部扉をロックすることを特徴とする回収ボックスを提供するものである。従って、錠前機構を操作することで、ボックス本体に回収部扉及び投入部扉を別々にロックしなくても、同時にロックできる。また、投入部扉の錠前を操作すると、他方の錠前を規制するから、ボックス本体に投入部扉及び回収部扉を共にロックできる。また、投入部扉の錠前のロックプレートを回動させ、ロックハンガーに掛けると、投入部扉をロックでき、同時にロックハンガーが回収部扉の錠前を構成するラッチ板の端に当たるから、ラッチ板のスライドを規制して回収部扉をロックできる。
【０００８】
【発明の実施の形態】
以下、実施の形態をあげて本発明を添付図面に基づいて詳述する。
図１は本発明の実施形態である回収ボックスを示す斜視図、図２は回収ボックスに収納する台車を示す斜視図である。図１及び図２に示すように、１は回収ボックスを示し、この回収ボックス１は、ボックス本体４と、このボックス本体４の前面に開閉自在に取り付け回収物を取り出す回収部扉５と、該回収部扉５に開閉自在に取り付け投入口２を開閉する投入部扉６と、を主要構成要素としてなる。なお、図２における７は、ボックス本体４内に収納され、回収物を入れるビニール袋や篭を保持する台車である。
【０００９】
前記ボックス本体４は、４面を側板８、８、８及び上板１８で囲い、前面に図では省略する蝶番により回収部扉５を開閉自在とし、底はない。また、前記投入部扉６は、前記投入口２よりやや小さめの大きさで、回収部扉５に開閉自在に取り付けられる。また、開閉自在とする方法としては、特に制限されず、把手３を手前に引き上げることにより、又は単に押すことにより開閉できるものであれば如何なる構造のものでも良い。
【００１０】
前記回収部扉５と投入部扉６とは、錠前機構１０によりボックス本体４及び回収部扉５にそれぞれロックされる。錠前機構１０は、回収部扉用錠前１１と投入部扉用錠前１２とがあり、これらの錠前のうち投入部扉６の錠前１２を操作することにより、ボックス本体４に回収部扉５と投入部扉６とを共にロックすることができるようになっている。回収部扉用錠前１１は、回収部扉５の内側に１以上の爪１３を有し、かつその端にラッチロックプレート１４を取り付けたラッチ板１５をスライド可能に設けると共に、１以上の爪１３を掛けるラッチガード１６をボックス本体４に設けてなる。
【００１１】
すなわち、２枚の爪１３を有するラッチ板１５に２つの長孔１５ａを明け、これら長孔１５ａを通して２本のラッチカラー１７をボルトにより回収部扉５に取り付けることで、長孔１５ａの範囲内でラッチ板１５を上下にスライド可能にしている。そして、ラッチ板１５の２枚の爪１３はその先端１３ａが丸みを帯び、更に凹部１３ｂが設けられているから、爪１３の先端１３ａがラッチガード１６の孔１６ａに当たると、ラッチ板１５は上方にスライドし、爪１３の先端１３ａはラッチガード１６の孔１６ａを乗り越え、凹部１３ｂが孔１６ａに差し込まれるようになり、ラッチ板１５は下方にスライドして、回収部扉５はボックス本体４にロック状態となる。この際、ラッチ板１５を上方にスライドして、孔１６ａから凹部１３ｂを外さない限り、回収部扉５はボックス本体４にロックされた状態を継続する。この方式は部外者には分かりにくい。
【００１２】
前記投入部扉用錠前１２は、回収部扉５の内側にロック片２０ａと基端２０ｂから構成されたＬ字状ロックプレート２０を回動可能に設けると共に、ロックプレート２０のロック片２０ａを掛けるロックハンガー２１を前記投入部扉６に設けてなる。すなわち、鍵を差し込むロックシリンダー２２が回収部扉５にナットにより取り付けられ、ロックシリンダー２２の軸ネジ２２ａにロックプレート２０を座金及びナットにより取り付けられ、ロックシリンダー２２に鍵を差し込み回動させることで、ロックプレート２０を回動させる。そして、ロックプレート２０は、基端２０ｂが丸みを帯び、ロックプレート２０を回動させると、ロック片２０ａは、ロックハンガー２１の孔２１ａに差し込まれ、投入部扉６はボックス本体４にロック状態となっている回収部扉５にロックされる。一方、ロックプレート２０の基端２０ｂは、ラッチ板１５のラッチロックプレート１４に当たり、ラッチ板１５を規制し上方にスライドできなくなり、孔１６ａから凹部１３ｂが外れず、回収部扉５もボックス本体４にロックされた状態を継続する。なお、ロックプレート２０の回動は鍵以外、例えばハンドル、六角レンチ等の鍵類を必要とするものであっても、ロックシリンダー２２に摘み部、ハンドル部等を形成したものであっても良い。
【００１３】
次に上記構成になる回収ボックス１の使用方法を説明する。
まず、図２に示す台車７にビニール袋を掛けたり、あるいは篭を乗せてボックス本体４に収納する。次に、回収部扉５を閉めると、２つの爪１３の丸みを帯びた先端１３ａがラッチガード１６の孔１６ａに当たるから、ラッチ板１５は上方にスライドし、ラッチガード１６の孔１６ａを乗り越えて凹部１３ｂが孔１６ａに差し込まれ、ラッチ板１５は下方にスライドして、回収部扉５はボックス本体４にロック状態となる。投入部扉６は開閉自在の状態にして、回収ボックス１を利用できる状態にする。
【００１４】
そして、回収ボックス１の利用時間が過ぎたら、ラッチ板１５の下端である操作部２３を下から押し上げることにより、上方にスライドさせて回収部扉５のロック状態を解き、開いてボックス本体４から台車７を出した回収物を取り出す。再び台車７にビニール袋を掛けたり、あるいは篭を乗せてボックス本体４に収納し、回収部扉５を閉めボックス本体４にロック状態にする。投入部扉６を閉じてロックシリンダー２２に鍵を差し込みロックプレート２０を回動させると、ロック片２０ａがロックハンガー２１の孔２１ａに差し込まれ、投入部扉６は回収部扉５にロックされる。一方、ロックプレート２０の基端２０ｂは、ラッチ板１５を規制し上方にスライドできなくするから、同時に回収部扉５もボックス本体４に完全にロックされる。
【００１５】
本発明において、回収ボックスとしては、リサイクル用回収ボックス、ゴミ箱等、投棄、保管又は回収等のいずれか又はこれらの組合せで利用される全てのボックスを含むものである。
【００１６】
また、本発明において、投入部扉としては、前記実施の形態の他、図８及び図９にそれぞれ示すようなシャッター形式及びドラム回転形式等のものが挙げられる。図８において、シャッター扉６ａは回収部扉５の投入口内にレール等で上下摺動自在に設置され、これを利用する場合、把手部３を把持し手動により投入口２を開閉すればよい。また、錠前機構については、前記実施の形態と同様である。また、図９において、投入部扉は中空円筒の縦半割りドラム６ｂを受け皿として利用する。該ドラム６ｂは投入口２内を回転自在に軸支され、投入物は一旦該ドラム内に投入された後、４５度以上回動させることにより投入物を回収台車７に収めることができる。また、錠前機構については、前記実施の形態と同様であり、ロックハンガー２１は該ドラム６ｂの側板２６の図では省略する該当箇所に設ければよい。
【００１７】
以上、本発明の実施形態を説明したが、具体的な構成はこれに限定されず、本発明の要旨を逸脱しない範囲での変更、追加は本発明の範囲内である。
【００１８】
【発明の効果】
以上詳述したように、請求項１の発明によれば、錠前機構を操作することで、ボックス本体に回収部扉及び前記回収部扉に投入部扉を別々にロックしなくても、同時にロックできる。従って、一回のロック作業で回収部扉及び投入部扉の双方のロックが出きるので、その分の手間が省けて作業が楽になり、構造も簡易になる。また、投入部扉の錠前を操作すると、回収部扉の錠前が規制状態になり、ボックス本体に投入部扉及び回収部扉を共にロックできる。また、投入部扉の錠前のロックプレートを回動させ、ロックハンガーに掛けると、投入部扉をロックでき、同時にロックハンガーが回収部扉の錠前を構成するラッチ板の端に当たるから、ラッチ板のスライドを規制して回収部扉をロックできる。また、ロックプレートをロック解除方向に回動させロックを解除すれば、投入部扉のみが開放可能状態となり、今度はボックス本体内の回収物を取り出す際、ラッチの操作部はラッチ板の下端にあるため、鍵が無くてもラッチ板を移動させるだけで回収部扉を開けられ、閉じるもの鍵がいらず、しかも関係者以外回収部扉を開ける操作を悟られ難い。
【図面の簡単な説明】
【図１】本発明の実施の形態である回収ボックスを示す斜視図である。
【図２】回収ボックスに収納する台車を示す斜視図である。
【図３】本発明の実施の形態である回収ボックスの一部を省略した斜視図である。
【図４】回収部扉を透かして正面から回収ボックスを見た一部を断面した正面図である。
【図５】図４のＸ−Ｘ線に沿って見た一部を省略した断面図である。
【図６】回収部扉用錠前を示す一部を切欠した断面図である。
【図７】投入部扉用錠前及び回収部扉用錠前の主要部を示す斜視図である。
【図８】本発明の他の実施の形態である回収ボックスを示す斜視図である。
【図９】本発明の他の実施の形態である回収ボックスを示す斜視図である。
【符号の説明】
１                      回収ボックス
２                      投入口
３                      把手部
４                      ボックス本体
５                      回収部扉
６                      投入部扉
７                      台車
８                      側板
１０                    錠前機構
１１                    回収部扉用錠前
１２                    投入部扉用錠前
１３                    爪
１３ａ                  先端
１３ｂ                  凹部
１４                    ラッチロックプレート
１５                    ラッチ板
１５ａ                  長孔
１６                    ラッチガード
３ａ、１６ａ、２１ａ    孔
１７                    ラッチカラー
１８                    上板
２０                    ロックプレート
２０ａ                  ロック片
２０ｂ                  基端
２１                    ロックハンガー
２２                    ロックシリンダー
２２ａ                  軸ネジ
【図１】
0004004100.tif 000002
【図２】
0004004100.tif 000003
【図３】
0004004100.tif 000004
【図４】
0004004100.tif 000005
【図５】
0004004100.tif 000006
【図６】
0004004100.tif 000007
【図７】
0004004100.tif 000008
【図８】
0004004100.tif 000009
【図９】
0004004100.tif 000010